(57)【要約】【課題】気密性が高く、冷媒漏れを確実に防止できる空気調和機の三方弁を提供する。【解決手段】四方に、本体筒部１７と、室内機熱交換器側配管（図示せず）に接続される室内配管側ポート１２と、室外機熱交換器側配管（図示せず）にロウ付けで接続される室外配管側ポート１３と、バルブコア２０を装着したサービスポート１４を有し、外周にＯリング２２が装着され、室内配管側ポート１２と室外配管側ポート１３との連通を開閉する弁棒１５を収納する弁棒受入部１６を備え、弁棒受入部１６を本体筒部１７に圧入装着したもので、弁棒受入部１６が本体１１とは別部品なので、加工精度が容易に上げられると共に、ロウ付け時の配管ロウ付けフラックスを除去するための酸処理により本体筒部１７の面粗さが悪くなっても、仕上り面粗さが良好な弁棒受入部１６を本体筒部１７に圧入装着することで、弁棒１５と弁棒受入部１６との隙間からの冷媒漏れを確実に防止出来る。【選択図】図２
2006200856.tif 000002
【特許請求の範囲】
【請求項１】
四方に、本体筒部と、室内機熱交換器側配管に接続される室内配管側ポートと、室外機熱交換器側配管にロウ付けで接続される室外配管側ポートと、バルブコアを装着したサービスポートを有し、外周にＯリングが装着され、前記室内配管側ポートと前記室外配管側ポートとの連通を開閉する弁棒と、前記弁棒を収納する弁棒受入部を備え、前記弁棒受入部を前記本体筒部に圧入装着したことを特徴とする空気調和機の三方弁。
【請求項２】
弁棒受入部にＯリングを装着した弁棒を挿入後、前記弁棒受入部の本体筒部の開放側端部にカシメ筒部を設けたことを特徴とする請求項１に記載の空気調和機の三方弁。
【請求項３】
弁棒受入部にＯリングを装着した弁棒を挿入し、前記弁棒受入部を本体筒部に圧入装着した後、前記弁棒受入部と前記本体筒部のそれぞれの開放側端部に同時にカシメ筒部を設けたことを特徴とする請求項２に記載の空気調和機の三方弁。
【発明の詳細な説明】
【技術分野】
【０００１】
本発明は、主に冷凍機や空気調和機の冷媒配管系に介装する三方弁に関するものであって、特に、弁棒による冷媒流路の開閉操作時のシール構造の改善に係るものである。
【背景技術】
【０００２】
空気調和機の冷媒回路は、一般に、室内機と室外機を冷媒配管で接続して形成され、空気調和機の設置時の配管接続後に室内機側をエアーパージ及び冷媒封入するためサービスポートを有する三方弁を備えている。
【０００３】
図３は、従来の三方弁の断面図を示すもので、三方弁３０は、本体筒部３１と、本体筒部３１に収納された弁棒３２と、本体筒部３１の上部開口を覆う弁キャップ３３と、サービスポート３４と、室外機側に接続される室外配管側ポート３５と、室内機側に接続される室内配管側ポート３６を備え、弁キャップ３３を外し、内部に収納された弁棒３２を開閉することにより、室内機と室外機間で冷媒を連通するか閉止するかの操作を行うようにしている。
【０００４】
弁キャップ３３を外した時、弁棒３２からの冷媒漏れを防止するため同弁棒３２に複数のＯリング３７が設けられている（例えば、特許文献１参照）。
【特許文献１】特開平８−２９７０６７号公報
【発明の開示】
【発明が解決しようとする課題】
【０００５】
しかしながら、上記従来の空気調和機の三方弁の構成では、弁棒３２にＯリング３７が複数取りつけられているため、三方弁３０全体の寸法が大きくなり、そのため室外機の配管カバー（図示せず）のサイズが大きくなるという課題を有していた。
【０００６】
また三方弁３０は、真鍮材で出来ており、室外機内の冷凍サイクル部品と接続銅配管とをロウ付けする際フラックス剤を使用する為、ロウ付け後酸処理を行う必要があり、その酸処理により三方弁３０の内面加工精度が悪くなり、弁棒３２に取りつけられた複数のＯリング３６とのあいだに僅かな隙間が発生し、冷媒漏れが発生するという課題があった。
【０００７】
本発明は、このような従来の課題を解決するものであり、寸法精度の高い気密性を有した空気調和機の三方弁を提供する事を目的とする。
【課題を解決するための手段】
【０００８】
上記従来の課題を解決するために、本発明の空気調和機の三方弁は、四方に、本体筒部と、室内機熱交換器側配管に接続される室内配管側ポートと、室外機熱交換器側配管にロウ付けで接続される室外配管側ポートと、バルブコアを装着したサービスポートを有し、外周にＯリングが装着され、前記室内配管側ポートと前記室外配管側ポートとの連通を開閉する弁棒と、前記弁棒を収納する弁棒受入部を備え、前記弁棒受入部を前記本体筒部に圧入装着したもので、弁棒を収納する弁棒受入部が三方弁本体とは別部品なので、加工精度を容易にあげることができると共に、配管のロウ付け時に使用した配管ロウ付けフラックスを除去するための酸処理により三方弁の本体筒部の面粗さが悪くなっても、単独で別加工され仕上り面粗さが良好な弁棒受入部を本体筒部に圧入装着することで、弁棒と弁棒受入部との隙間からの冷媒漏れを確実に防止することが出来る。
【０００９】
また、弁棒と弁棒受入部とのあいだの気密性が向上するので、Ｏリングの数を減らしたり、場合によっては廃止できるので、その分三方弁を小型化でき、室外機の配管カバーを小さくすることができる。
【発明の効果】
【００１０】
本発明の空気調和機の三方弁は、寸法精度の高い気密性を有し、冷媒漏れを確実に防止できる。
【発明を実施するための最良の形態】
【００１１】
第１の発明は、四方に、本体筒部と、室内機熱交換器側配管に接続される室内配管側ポートと、室外機熱交換器側配管にロウ付けで接続される室外配管側ポートと、バルブコアを装着したサービスポートを有し、外周にＯリングが装着され、前記室内配管側ポートと前記室外配管側ポートとの連通を開閉する弁棒と、前記弁棒を収納する弁棒受入部を備え、前記弁棒受入部を前記本体筒部に圧入装着したもので、弁棒を収納する弁棒受入部が三方弁本体とは別部品なので、加工精度を容易にあげることができると共に、配管のロウ付け時に使用した配管ロウ付けフラックスを除去するための酸処理により三方弁の本体筒部の面粗さが悪くなっても、単独で別加工され仕上り面粗さが良好な弁棒受入部を本体筒部に圧入装着することで、弁棒と弁棒受入部との隙間からの冷媒漏れを確実に防止することが出来る。また、弁棒と弁棒受入部とのあいだの気密性が向上するので、Ｏリングの数を減らしたり、場合によっては廃止できるので、その分三方弁を小型化でき、室外機の配管カバーを小さくすることができる。
【００１２】
第２の発明は、特に、第１の発明の弁棒受入部にＯリングを装着した弁棒を挿入後、前記弁棒受入部の本体筒部の開放側端部にカシメ筒部を設けたもので、弁棒受入部の内壁と弁棒との密着性がより向上し、冷媒漏れをより確実に防止する事ができ、しかも弁棒の飛出しも防ぐことが出来る。
【００１３】
第３の発明は、特に、第２の発明の弁棒受入部にＯリングを装着した弁棒を挿入し、前記弁棒受入部を本体筒部に圧入装着した後、前記弁棒受入部と前記本体筒部のそれぞれの開放側端部に同時にカシメ筒部を設けたもので、弁棒受入部の内壁と弁棒との密着性が更に向上し、冷媒漏れを防止できると共に、弁棒飛出しを防止する為のＣリングなどが不用となり、加工工数、組み立て工数の削減が出来る。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における空気調和機の三方弁を介装した冷媒回路を示す図、図２は、同三方弁の断面図である。
【００１６】
図１において、室外機１の圧縮機２より吐出した冷媒が、四方弁３により室外機熱交換器４に流れ凝縮され、膨張弁５を通ってガス側の三方弁６より接続配管７にて室内機熱交換器８に流れ、室内機熱交換器８で蒸発した冷媒が接続配管９、液側の三方弁１０を経て前記四方弁３に至り、圧縮機２に戻るサイクルである。
【００１７】
図２を用いて、三方弁１０の詳細な構成について説明する。
【００１８】
三方弁１０の本体１１の四方には、室内配管側ポート１２と、室外配管側ポート１３と、サービスポート１４と、本体筒部１７が設けられ、本体筒部１７には、弁棒１５が収納された弁棒受入部１６が圧入装着されている。
【００１９】
室内配管側ポート１２には、室内熱交換器８に接続された接続配管９がフレアナット１８を介して接続され、室外配管側ポート１３には、銅管１９がフラックス剤を介してロウ付け接続されて室外機熱交換器４側の配管に接続されるようになっている。
【００２０】
サービスポート１４にはバルブコア２０が挿入されておりサービスポートキャップ２１が取りつけられている。通常は密封されているが、空気調和機の設置時に、このサービスポート１４から真空引きを行う。
【００２１】
弁棒１５の下部にネジ部１５ａが、上部に六角レンチ用挿入穴１５ｂ及びＯリング２２を介装する溝部１５ｃがそれぞれ一体に形成されている。弁棒１５のネジ部１５ａは、弁棒受入部１６の下部に設けたネジ部１６ａと螺合しており、六角レンチ用挿入穴１５ｂに六角レンチ（図示せず）を差し込んで回転操作をすることにより、弁棒１５を進退させて室内配管側ポート１２と室外配管側ポート１３との連通を開閉することができる。
【００２２】
弁棒１５は真鍮材からなり、加工寸法の面粗さは１μ以下で仕上げており、弁棒受入部１６においても加工寸法の面粗さは１μ以下で仕上げをおこなっている。
【００２３】
弁棒受入部１６の外径は、例えばφ１２＋０．１−０で加工されおり、本体筒部１７の内径は例えばφ１１．９＋０−０．１で加工されている。弁棒受入部１６は圧力調整が可能なエレクトロプレス等によって本体筒部１７に圧入装着される。
【００２４】
この組付け方法により、銅管１９がフラックス剤を介してロウ付け接続され、その後酸洗いによる寸法変化の影響を受けず、弁棒１５と弁棒受入部１６が設計通りの寸法に仕上がり、冷媒漏れを防止できる。
【００２５】
図２に示すように、弁棒受入部１６に、Ｏリング２２を装着した弁棒１５を挿入した後、弁棒受入部１６の本体筒部１７の弁穴１７ａの開放側端部を内方に絞るようにしてカシメ筒部１６ｂを設け、弁棒キャップ２３で、本体筒部１７に蓋をするようにしている。
【００２６】
上記構成により、弁棒受入部１６の内壁と弁棒１５との密着性がより向上し、冷媒漏れをより確実に防止する事ができ、しかも弁棒１５の飛出しも防ぐことが出来る。
【００２７】
また、同図２に示すように、弁棒受入部１６にＯリング２２を装着した弁棒１５を挿入し、その弁棒受入部１６を三方弁１０の本体筒部１７に圧入装着した後、弁棒受入部１６と本体筒部１７のそれぞれの本体筒部１７の弁穴１７ａの開放側端部を内方に同時に絞り込んで、前述のカシメ筒部１６ｂと共に、本体筒部１７にカシメ筒部１７ｂを設けるようにすれば、さらに確実に冷媒漏れを防ぎ、加工工数の削減と弁棒１５の飛出しの防止が出来るものである。
【産業上の利用可能性】
【００２８】
以上のように本発明にかかる空気調和機の三方弁は、確実に冷媒漏れを防止することができるもので、空気調和機に限らず、冷凍機、冷却機器など、三方弁を用いる各種装置、機器に広く適用できる。
【図面の簡単な説明】
【００２９】
【図１】本発明の第１の実施の形態における空気調和機の三方弁を介装した冷媒回路を示す図
【図２】（ａ）同三方弁の断面図（ｂ）同三方弁の分解断面図
【図３】（ａ）従来の空気調和機の三方弁の断面図（ｂ）同三方弁の分解断面図
【符号の説明】
【００３０】
４  室外機熱交換器
６、１０  三方弁
８  室内機熱交換器
１１  本体
１２  室内配管側ポート
１３  室外配管側ポート
１４  サービスポート
１５  弁棒
１６  弁棒受入部
１６ｂ、１７ｂ  カシメ筒部
１７  本体筒部
２０  バルブコア
２２  Ｏリング
【図１】
2006200856.tif 000003
【図２】
2006200856.tif 000004
【図３】
2006200856.tif 000005